(57)【特許請求の範囲】
【請求項１】
垂直平面状の設置片よりなる固定部と、該固定部の上端を裏面側へ屈曲した側壁と、該側壁の先端を上方に突出した底面と、該底面と側壁により形成した回転溝と、底面の先端を裏面側へ屈曲した上側壁と、該上側壁の先端を上方に突出した固定面とから形成した雌型連結部と、固定部の下端を表面側に突出した下側壁と、該下側壁の先端を上方に突出した係合片と、下側壁と係合片とから形成した係合溝と、下側壁の先端を外下方に突出した押圧片を形成した雄型連結部とから形成して長尺状に形成した取付具Ｂと、垂直平面状の化粧面の幅方向上下端に相决り状の雌実部と雄実部を有し、かつ、下端の雄実部の切り欠き角部に係止溝、係止片を形成した硬質壁材と、垂直平面状の嵌合片と、該嵌合片の先端を表面側に突出し先端を下方に垂下した支持片と、嵌合片と支持片とから形成した嵌合溝と、支持片の下端を表面側に突出した取付部とから形成した壁出し金具とからなり、取付具は上下の上側壁と下側壁を当接して壁下地に固定され、硬質壁材の上端部の雌実部は取付具の押圧片により固定され、硬質壁材の下端部の係止溝は取付具の係合片が挿入されて固定されると共に、壁出し金具は嵌合溝が取付具の係合片に挿入されて固定されていることを特徴とする壁出し金具の取付構造。
【発明の詳細な説明】
【０００１】
【発明の属する技術分野】
本発明は乾式外壁材に直接打設することなく、壁に表札、郵便受け、縦樋、等を固定するための壁出し金具の取付構造に関するものである。
【０００２】
【従来の技術】
一般に、乾式外壁材に表札、郵便受け、縦樋、等を取り付けるには、乾式外壁材を貫いて躯体、胴縁に固定具を介して固定するものであった。
【０００３】
【発明が解決しようとする課題】
しかしながら、躯体や胴縁の位置を確認するには熟練を要し、間違うと施工後に落下したりする危険性があった。また、間違ってあけた穴は修繕しなければならなかった。勿論、躯体内に配した電気配線を傷つけるとショートしてしまうために、注意が必要であった。
【０００４】
【課題を解決するための手段】
本発明はこのような課題を解決するために、垂直平面状の設置片よりなる固定部と、固定部の上端を裏面側へ屈曲した側壁と、側壁の先端を上方に突出した底面と、底面と側壁により形成した回転溝と、底面の先端を裏面側へ屈曲した上側壁と、上側壁の先端を上方に突出した固定面とから形成した雌型連結部と、固定部の下端を表面側に突出した下側壁と、下側壁の先端を上方に突出した係合片と、下側壁と係合片とから形成した係合溝と、下側壁の先端を外下方に突出した押圧片を形成した雄型連結部とから形成して長尺状に形成した取付具Ｂと、垂直平面状の化粧面の幅方向上下端に相决り状の雌実部と雄実部を有し、かつ、下端の雄実部の切り欠き角部に係止溝、係止片を形成した硬質壁材と、垂直平面状の嵌合片と、嵌合片の先端を表面側に突出し先端を下方に垂下した支持片と、嵌合片と支持片とから形成した嵌合溝と、支持片の下端を表面側に突出した取付部とから形成した壁出し金具とからなり、取付具は上下の上側壁と下側壁を当接して壁下地に固定され、硬質壁材の上端部の雌実部は取付具の押圧片により固定され、硬質壁材の下端部の係止溝は取付具の係合片が挿入されて固定されると共に、壁出し金具は嵌合溝が取付具の係合片に挿入されて固定されている壁出し金具の取付構造を提供するものである。
【０００５】
【発明の実施の形態】
以下に図面を用いて、本発明に係る壁出し金具の取付構造の一実施例について詳細に説明する。図１（ａ）、（ｂ）は壁出し金具の取付構造の壁出し金具を施工した状態を示す断面図と乾式外壁材を施工した状態を示す断面図であり、Ｐは壁出し金具、Ａは取付具Ｂと硬質壁材Ｃよりなる乾式外壁材、Ｑは表札、郵便受け、縦樋、等よりなる壁出し部材、Ｒはボルト・ナットである。図２（ａ）、（ｂ）は壁出し金具Ｐを示す説明図、図３（ａ）、（ｂ）は取付具Ｂ、硬質壁材Ｃよりなる乾式外装材Ｂを示す断面図、図４（ａ）〜（ｃ）〜図６（ａ）、（ｂ）は硬質壁材Ｃの施工順序を示す説明図、図７（ａ）〜（ｃ）は壁出し金具Ｐの施工順序の一例を示す説明図である。
【０００６】
壁出し金具Ｐは図２（ａ）、（ｂ）に示すように、垂直平面状の固定片１と、固定片１の下端を表面側に突出した下片２と、下片２の先端を上方に突出した嵌合片４と嵌合片４の先端を外側方に突出し先端を下方に垂下した支持片５と嵌合片４と支持片５とからなる嵌合溝６とからなる嵌合部３と、支持片５の下端を表面側に突出した突出片８と突出片８の先端を下方に垂下した取付片９と取付片９に穿孔した取付孔１０とからなる取付部７とから形成したものである。
【０００７】
壁出し金具Ｐの素材としては、ステンレス板、カラー鋼板、アルミ・亜鉛合金メッキ鋼板、アルミニウム板、チタン板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形−切断等して形成したものである。
【０００８】
壁出し金具Ｐは、後記する乾式外壁材Ａを取付具Ｂに施工した際に、壁に表札、郵便受け、縦樋、等の壁出し部材Ｑをボルト・ナットＲで取り付けるための下地として機能するものである。
【０００９】
固定片１は図１（ａ）に示すように壁出し金具Ｐを壁下地αに固定した際のガタ付き防止機能を具備すると共に、固定具βを介して固定することのできる部分である。
【００１０】
嵌合部３は、後記する取付具Ｂの係合片２１に係合されることにより、壁出し金具Ｐを取付具Ｂに固定する部分である。勿論、壁出し金具Ｐは取付具Ｂと硬質壁材Ｃ間に挟まれているために、はずれて落下することはないものである。
【００１１】
取付部７は壁出し部材Ｑを乾式外壁材Ａ上に固定するための固定下地として機能するものであり、図示するようなＬ字状、水平面状、垂直平面状等、壁出し部材Ｑの形状に合わせるものであり任意である。また、取付位置、取付個数等は壁出し部材Ｑに合わせて形成するものである。
【００１２】
図３（ａ）〜（ｃ）は壁出し金具Ｐを使用できる乾式外壁材Ａを施工するための取付具Ｂ、硬質壁材Ｃを示す断面図である。また、図４（ａ）〜（ｃ）〜図７（ａ）〜（ｃ）は施工順序を示す説明図である。
【００１３】
取付具Ｂは後記する硬質壁材Ｃの下地兼固定材として機能するものであり、例えば図３（ａ）に示すように、カラー鋼板、アルミ・亜鉛合金メッキ鋼板、アルミニウム板、チタン板、ステンレス板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形して長尺状に形成したものである。
【００１４】
さらに詳説すると、取付具Ｂの形状は、垂直平面状の設置片１２よりなる固定部１１と、固定部１１の上端を裏面側に屈曲した側壁１５と、側壁１５の先端を上方に突出した底面１６と、底面１６と側壁１５により形成した回転溝１７と、底面１６の先端を裏面側に屈曲した上側壁１８と、上側壁１８の先端を上方に突出した固定面１９とから形成した雌型連結部１３と、固定部１１の下端を表面側に突出した下側壁２０と、下側壁２０の先端を裏面側に突出した係合片２１と、下側壁２０と係合片２１とから形成した係合溝２２と、下側壁２０の先端を表面側に突出した押圧片２３を形成した雄型連結部１４とから形成した長尺状に形成したものである。また、図１に示すように取付具Ｂ間の連結部には挿入溝２４が形成されるものである。
【００１５】
また、下側壁２０に孔を一定ピッチで形成することにより、流水部２０ａを複数個形成し、万が一に浸入した雨水等を外部に放出できるようにしたものである。勿論、係合片２１部分を切り欠いて流水部２０ａを形成しても良いものである。
【００１６】
また、図では裏面に芯材Ｄ、裏面材Ｅを形成し、断熱性、強度、耐火性、等を向上した取付具Ｂを示すものである。
【００１７】
また、２０は中空孔であり、硬質壁材Ｃの内部に原料の節減、自重の軽減のために長手方向と平行に複数個形成したものである。
【００１８】
芯材Ｄとしてはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいは石膏ボード、セメント板、炭酸カルシウム板、珪酸カルシウム板、セラミック板、木片セメント板、炭酸マグネシウム板、シージングボード、シージングインシュレーションボード、合板、またはグラスウール、ロックウール、等の繊維系断熱材、等よりなるもの、さらにはこれらをカナッペ構造、サンドイッチ構造に形成した複合板、もしくはこれらをシートとカナッペ構造、サンドイッチ構造に形成した複合板、等の一種よりなるものである。
【００１９】
裏面材Ｅは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００２０】
硬質壁材Ｃは図３（ｂ）に示すようなセラミック板、セメント板、炭酸カルシウム板、珪酸カルシウム板、木片セメント板、炭酸マグネシウム板等、あるいはこれらにガラス繊維、ウィスカー、アラミド繊維、スチール繊維、炭素繊維、各種鉱物繊維、各種骨材等を混入したもの、等を押出成形、プレス成形、射出成形、抄造法、等によって成形したもの、あるいは各種繊維をクロス状、三次元状に織り、これにセメント、粘土等を含浸してパネル状に成形したものを乾燥、蒸気養生、焼成、等したもの、もしくは図示しないが金属製パネル、金属サイディング材、木板、合成樹脂板、等からなるものである。
【００２１】
さらに説明すると、硬質壁材Ｃの一例としては図３（ｂ）に示すように長尺板状で表面の化粧面２５の幅方向上下端に相决り状の雌実部２６と雄実部２７を有し、かつ、雄実部２７の切り欠き角部に係止溝２８、係止片２９を形成したものである。
【００２２】
なお、図３（ｃ）は取付具Ｂと硬質壁材Ｃの装着状態を示す断面図である。また、図１（ｂ）、図３（ｂ）に示すように押圧片２３の先端から係合片２１までの長さをＷ、係止溝２８の最奥から上端までの長さをｗ、挿入溝２４の深さをＨ、係止溝２８の深さをｈとすると、Ｗ＜ｗ、Ｈ＞ｈの関係である。
【００２３】
次に本発明に係る壁出し金具の取付構造を施工例を通して詳細に説明する。いま図２（ａ）、（ｂ）に示すような壁出し金具Ｐ、図３（ａ）〜（ｃ）に示すような取付具Ｂ、硬質壁材Ｃを用いて図１（ｂ）、図４（ａ）〜（ｃ）〜図６（ａ）、（ｂ）に示すように施工するとする。そこで、図３（ａ）、（ｂ）に示すように、断熱材（グラスウール等）、防水シート（防風透湿シート）を含む木造下地、鉄骨下地、既存外壁、等からなる壁下地α上に、取付具Ｂを固定具βにより隙間無く固定する。
【００２４】
次に、図５（ａ）に示すように、取付具Ｂの施工により形成された挿入溝２４に硬質壁材Ｃの雌実部２６を矢印で示すように挿入し、次に、硬質壁材Ｃを図５（ｂ）に矢印で示すように回転させ、その後、図６（ａ）に示すように下方に垂下させ、図６（ｂ）に示すように施工するものである。この場合、挿入溝２４内の回転溝１７内にまで雌実部２６を挿入できるために、挿入−回転が容易で、施工性が格段に向上するものである。このように順次施工することにより、図１（ｂ）に示すような硬質壁材Ｃの壁構造を形成するものである。勿論、土台部分には水切り、スタータ、軒には止縁、コーナ部分には出隅、入隅、等の役物を使用して施工を行うものである。なお、取付具Ｂ間にはＥＰＤＭ等のパッキング材を形成し、防水性を強化するものである。
【００２５】
次に、図７（ａ）に示すように、壁出し部材Ｑを施工したい部分の硬質壁材Ｃを取り外し、図７（ｂ）に示すように壁出し金具Ｐを固定部βにより壁下地αに固定し、次に、図５（ａ）、（ｂ）、図６（ａ）、（ｂ）に示すように硬質壁材Ｃを取り付け、壁出し金具Ｐの施工を完了するものである。
【００２６】
上記のような壁出し金具の取付構造では硬質壁材Ｃの雌実部２６、係止溝２８が、取付具Ｂの押圧片２３、係合片２１により固定されているため、硬質壁材Ｃへの釘打設等がなく、施工時の硬質壁材Ｃの破損を阻止することができる。
【００２７】
また、取付具Ｂの押圧片２３は上段に施工された硬質壁材Ｃの自重により、下段の硬質壁材Ｃの雌実部２６をさらに押圧するので、硬質壁材Ｃがガタツクことがない。
【００２８】
さらに、施工後も挿入溝２４内には回転溝１７が存在するために、硬質壁材Ｃをはずせるのに十分な空隙が存在し、万一施工後に硬質壁材Ｃが破損した際でも、一枚単位で容易に取り替えることができると共に、硬質壁材Ｃは壁下地αに固定具βで直接固定されていないこともあり、地震等により壁下地αに変形荷重が加わっても、追従することができ、剥落することがないものである。
【００２９】
【その他の実施例】
以上説明したのは、本発明に係る壁出し金具の取付構造の一実施例にすぎず、図８（ａ）〜（ｘ）〜図１０（ａ）〜（ｆ）に示すように形成することもできる。
【００３０】
特に、図８（ｖ）〜（ｘ）はナットＳを形成した壁出し金具Ｐである。また、図９（ｐ）、（ｑ）は２つで一組の壁出し金具Ｐを示すものである。
【００３１】
図１１（ａ）〜（ｄ）、図１２（ａ）〜（ｄ）は取付具Ｂのその他の実施例を示す説明図である。
【００３２】
【発明の効果】
上述したように本発明に係る壁出し金具の取付構造によれば、（１）壁に表札、郵便受け、縦樋、等を固定することができる。（２）乾式外壁材を施工した後でも、壁出し部材を施工できる。乾式外装材に孔を開けることがないので、（３）見栄えがよい。（４）施工性がよい。（５）防水性がよい。躯体や胴縁の位置を確認できるために、（６）熟練を要さない。（７）間違いがないので、施工後に落下したりする危険性がない。（８）電気配線を気にせずに施工できる。等の特徴、効果がある。
【図面の簡単な説明】
【図１】  本発明に係る壁出し金具の取付構造の施工状態と、乾式外壁材の施工状態を示す断面図である。
【図２】  本発明に係る壁出し金具の取付構造を示す説明図である。
【図３】  本発明に係る壁出し金具の取付構造に使用する乾式外壁材の一実施例を示す断面図である。
【図４】  本発明に係る壁出し金具の取付構造に使用する乾式外壁材の施工順序を示す説明図である。
【図５】  本発明に係る壁出し金具の取付構造に使用する乾式外壁材の施工順序を示す説明図である。
【図６】  本発明に係る壁出し金具の取付構造に使用する乾式外壁材の施工順序を示す説明図である。
【図７】  本発明に係る壁出し金具の取付構造の施工順序を示す説明図である。
【図８】  本発明に係る壁出し金具の取付構造のその他の実施例を示す説明図である。
【図９】  本発明に係る壁出し金具の取付構造のその他の実施例を示す説明図である。
【図１０】  本発明に係る壁出し金具の取付構造のその他の実施例を示す説明図である。
【図１１】  本発明に係る壁出し金具の取付構造に使用する取付具のその他の実施例を示す説明図である。
【図１２】  本発明に係る壁出し金具の取付構造に使用する取付具のその他の実施例を示す説明図である。
【符号の説明】
Ａ  乾式外壁材
Ｂ  取付具
Ｃ  硬質壁材
Ｄ  芯材
Ｅ  裏面材
Ｐ  壁出し金具
Ｑ  壁出し部材
Ｒ  ボルト・ナット
Ｓ  ナット
α  壁下地
β  固定具
１  固定片
２  下片
３  嵌合部
４  嵌合片
５  支持片
６  嵌合溝
７  取付部
８  突出片
９  取付片
１０  取付孔
１１  固定部
１２  設置片
１３  雌型連結部
１４  雄型連結部
１５  側壁
１６  底面
１７  回転溝
１８  上側壁
１９  固定面
２０  下側壁
２０ａ  流水部
２１  係合片
２２  係合溝
２３  押圧片
２４  挿入溝
２５  化粧面
２６  雌実部
２７  雄実部
２８  係止溝
２９  係止片
【図１】
0004463913.tif 000002
【図２】
0004463913.tif 000003
【図３】
0004463913.tif 000004
【図４】
0004463913.tif 000005
【図５】
0004463913.tif 000006
【図６】
0004463913.tif 000007
【図７】
0004463913.tif 000008
【図８】
0004463913.tif 000009
【図９】
0004463913.tif 000010
【図１０】
0004463913.tif 000011
【図１１】
0004463913.tif 000012
【図１２】
0004463913.tif 000013